(57)【特許請求の範囲】
【請求項１】
複数の柱の上端部間に上梁が架設されるとともに、前記柱の下端部間に下梁が架設された建物ユニットと、この建物ユニットの床部を構成する下梁の下面に沿って前記下梁の下面を覆うように設けられた帯状の防蟻シートとを有し、
前記建物ユニットの下面には、この下面全体を覆うようにして床下シートが設けられ、この床下シートの縁部に、前記防蟻シートが貼付され、
前記下梁の内側には、該下梁に沿って長尺でその下面が前記下梁の下面と略面一な帯板が該下梁に隣接して設けられ、この帯板に前記床下シートの縁部が固定されていることを特徴とする防蟻シート付き建物ユニット。
【請求項２】
複数の柱の上端部間に上梁が架設されるとともに、前記柱の下端部間に下梁が架設された建物ユニットと、この建物ユニットの床部を構成する下梁の下面に沿って前記下梁の下面を覆うように設けられた帯状の防蟻シートとを有し、
前記下梁の内側には、該下梁に沿って長尺でその下面が前記下梁の下面と略面一な帯板が、該下梁と所定間隔をもって設けられ、前記帯板の下面と前記下梁の下面とに、前記防蟻シートの両縁部がそれぞれ固定され、さらに、前記帯板の下面には、建物ユニットの下面側に設けられた床下シートの縁部が固定されていることを特徴とする防蟻シート付き建物ユニット。
【請求項３】
請求項１又は２のいずれかに記載の防蟻シート付き建物ユニットにおいて、前記防蟻シートの一方の縁部が、前記下梁の下面から外側面まで立ち上げられて固定されていることを特徴とする防蟻シート付き建物ユニット。
【発明の詳細な説明】
【０００１】
【発明の属する技術分野】
本発明は白蟻等の害虫から建物ユニットを守ることができる防蟻シート付き建物ユニットに関するものである。
【０００２】
【背景の技術】
白蟻等の害虫から住宅等の建物を守る方法の一つとして、従来から、基礎が設けられた土壌に、薬剤を散布する方法が知られているが、この方法は土壌汚染や薬剤の蒸発による薬効の低下などの問題がある。
このため、近年では、床の下面全体に防蟻シートを貼着する方法が採用される場合が多い。この方法によると、土壌汚染の恐れはなく、また防蟻シートには薬剤を含浸させるとともに該薬剤の蒸発を極力抑えるために樹脂を添加しているので、前記土壌への薬剤散布の場合に比して、薬効の低下を抑えることができる。
【０００３】
ユニット式建物を構成する建物ユニットの下面に防蟻シートを貼着する場合、例えば図５および図６に示すように、該建物ユニット１の下面側に、防蟻シート１５を該下面を全体的に覆うようにして配設し、該防蟻シート１５の長辺側の縁部を、長辺側の下梁４の長手方向に延在する防腐合板１６に固定するとともに、該防蟻シート１５の長辺側の縁部に耐水テープ１７を貼着し、該耐水テープ１７を下梁４の下面に貼着し、さらに、防蟻シート１５の短辺側の縁部を、短辺側の下梁４の下面に当接して、該短辺側の縁部に耐水テープ１７を貼着するとともに、該耐水テープ１７を下梁４の外側面まで立ち上げて該外側面に貼着することで行っている。
【０００４】
【発明が解決しようとする課題】
ところが、前記防蟻シートは、比較的高価であるために、その分建物ユニットがコスト高になってしまうという問題があった。
そこで、本出願人は、上記問題を解決する技術を、日本特許情報機構(JAPIO)の先行技術調査(パトリス)の利用により、以下の検索式で特許出願、実用新案登録出願を調査した。
検索式：Ｅ０４Ｂ０１／７２＊(蟻＋白蟻＋シロアリ＋防蟻)
その結果、特許７７件、実用新案登録出願６３件を抽出した。しかし、上記問題を解決する技術は発見できなかった。
【０００５】
本発明は上記事情に鑑みてなされたもので、比較的安価な防蟻シート付き建物ユニットを提供することを目的としている。
【０００６】
【課題を解決するための手段】
上記目的を達成するために、本発明の請求項１の防蟻シート付き建物ユニットは、例えば図１〜図３に示すように、複数の柱２…の上端部間に上梁３…が架設されるとともに、前記柱２…の下端部間に下梁４…が架設された建物ユニット１と、この建物ユニット１の床部を構成する下梁４の下面に沿って前記下梁４…の下面を覆うように設けられた帯状の防蟻シート１２とを有し、
前記建物ユニット１の下面には、この下面全体を覆うようにして床下シート１１が設けられ、この床下シート１１の縁部に、前記防蟻シート１２が貼付され、
前記下梁４の内側には、該下梁４に沿って長尺でその下面が前記下梁４の下面と略面一な帯板１０が該下梁４に隣接して設けられ、この帯板１０に前記床下シート１１の縁部が固定されていることを特徴とする。
【０００７】
前記防蟻シート１２は、薬剤を含浸させるとともに該薬剤の蒸発を極力抑えるために樹脂を添加したものである。
前記下梁４の下面に沿って帯状の防蟻シート１２を設ける場合、該防蟻シート１２によって下梁４の下面を覆うようにして設け、該防蟻シート１２の縁部を下梁４に接着用テープ(防蟻テープ１３)等を用いて貼着する。この接着用テープは、前記防蟻シート１２と同様の防蟻効果を有するものが望ましい。
なお、前記防蟻シート１２は、建物ユニットの下梁４の下面に、工場等において予め取付けておいてもよいし、建築現場で取付けてもよい。
【０００８】
請求項１の防蟻シート付き建物ユニットにおいては、建物ユニット１を基礎上に設置すると下梁４が基礎に当接するが、該下梁４の下面に沿って帯状の防蟻シート１２を設けたので、前記基礎には防蟻シート１２を介して下梁４が当接することになり、防蟻効果を得ることができる。つまり、白蟻等の害虫は基礎から上がってくるが、この基礎と当接する下梁４の下面に防蟻シート１２を設けたので、白蟻等の害虫を該防蟻シート１２によって排除することが可能となる。
そして、前記防蟻シート１２は下梁４の下面に沿った帯状をなしているので、面積的には従来の防蟻シート１５(図５および図６参照)に比して格段に小さくなり、よって、その分、防蟻シート付き建物ユニットが安価なものとなる。
【００１０】
前記床下シート１１の縁部に、防蟻シート１２を貼付する場合、例えば、該防蟻シート１２の一方の縁部を床下シート１１の縁部に前記接着用テープ(防蟻テープ１３)によって貼着し、防蟻シート１２の他方の縁部を下梁４の外側面に接着用テープ(防蟻テープ１３)によって貼着する。
【００１１】
また、前記床下シート１１によって、建物ユニット１の下面が覆われるので、建物ユニット１を基礎に設置してユニット式建物を構築した際における地面からの湿気の流入が防止される。また、床下シート１１の縁部に防蟻シート１２を貼付したので、該防蟻シート１２を下梁４の下面を覆うようにかつ該下面より広い範囲で水平に配置することが可能となる。
【００１３】
前記帯板１１は腐植合板で形成するのが望ましい。
また、前記建物ユニット１が略直方体状のものである場合、前記帯板１０は、長辺側の下梁４に沿って設けるのが望ましいが、長辺側および短辺側の両下梁４,４に沿って設けてもよい。
【００１４】
さらに、前記帯板１０に床下シート１１の縁部を固定することで、該床下シート１１を、建物ユニット１の下面に容易に張設することが可能となる。
【００１５】
請求項２の防蟻シート付き建物ユニットは、例えば図４に示すように、複数の柱の上端部間に上梁が架設されるとともに、前記柱の下端部間に下梁４…が架設された建物ユニット１と、この建物ユニット１の床部を構成する下梁４の下面に沿って前記下梁の下面を覆うように設けられた帯状の防蟻シート１２とを有し、
前記下梁４の内側には、該下梁４に沿って長尺でその下面が前記下梁４の下面と略面一な帯板１０が、該下梁４と所定間隔をもって設けられ、前記帯板１０の下面と前記下梁４の下面とに、前記防蟻シート１２の両縁部がそれぞれ固定され、さらに、前記帯板１０の下面には、建物ユニット１の下面側に設けられた床下シート１１の縁部が固定されていることを特徴とする。
【００１６】
請求項２の防蟻シート付き建物ユニットにおいては、建物ユニット１を基礎上に設置すると下梁４が基礎に当接するが、該下梁４の下面に沿って帯状の防蟻シート１２を設けたので、前記基礎には防蟻シート１２を介して下梁４が当接することになり、防蟻効果を得ることができる。つまり、白蟻等の害虫は基礎から上がってくるが、この基礎と当接する下梁４の下面に防蟻シート１２を設けたので、白蟻等の害虫を該防蟻シート１２によって排除することが可能となる。そして、前記防蟻シート１２は下梁４の下面に沿った帯状をなしているので、面積的には従来の防蟻シート１５(図５および図６参照)に比して格段に小さくなり、よって、その分、防蟻シート付き建物ユニットが安価なものとなる。
また、前記帯板１０の下面と前記下梁４の下面とに、前記防蟻シート１２の両縁部をそれぞれ固定したので、該防蟻シート１２を下梁４の下面を覆うようにかつ下梁４の下面より内側まで広い範囲で配置することが可能となる。また、前記帯板１０に床下シート１１の縁部を固定することで、該床下シート１１を、建物ユニット１の下面に容易に張設することが可能となる。
【００１７】
請求項３の防蟻シート付き建物ユニットは、請求項１又は２において、前記防蟻シート１２の一方の縁部を、前記下梁４の下面から外側面まで立ち上げて固定したものである。防蟻シート１２の一方の縁部を下梁４の外側面に固定するには、例えば、該一方の縁部を下梁４の外側面に前記接着用テープ(防蟻テープ１３)を用いて貼着すればよい。
【００１８】
請求項３の防蟻シート付き建物ユニットにおいては、請求項１又は２のいずれかと同様の作用効果が得られるのは勿論のこと、前記防蟻シート１２の一方の縁部を、前記下梁４の下面から外側面まで立ち上げて固定したので、該防蟻シート１２を下梁４の下面を覆うようにして容易に張設することが可能となり、また、防蟻効果がより確実なものとなる。
【００１９】
【発明の実施の形態】
以下、図面を参照して本発明の防蟻シート付き建物ユニットの実施の形態例について説明する。
(第１実施形態例)
図１〜図３は本発明の第１実施の形態例を示すもので、図１は本例の防蟻シート付き建物ユニットの概略構成を示す斜視図、図２は同底面図、図３は図２におけるＡ−Ａ線視断面図である。図１において、符号１は建物ユニットを示す。この建物ユニット１は、四隅に立設された４本の柱２…と、これら柱２…の上端部間に架設された４本の上梁３…と、前記柱２…の下端部間に架設された４本の下梁４を有する骨組みを備えてほぼ箱形に形成されている。
前記長辺側の上梁３,３間には複数本の天井小梁６…が所定間隔で平行に架設され、長辺側の下梁４,４間には複数本の根太７…が所定間隔で平行に架設されている。なお、このような骨組みには、天井面材８、床面材９、図示しない内壁、外壁等が取付けられている。
【００２０】
前記建物ユニット１の下面側には、図２および図３に示すように、帯板１０,１０が、長辺側の下梁４,４に沿ってかつ該下梁４,４の内側に隣接して設けられている。該帯板１０は、防腐合板で形成されたもので、長辺側の下梁４とほぼ同長さに形成され、その両端部は、短辺側の下梁４,４に支持固定されている。また、前記帯板１０はその下面が、長辺側の下梁４の下面とほぼ面一になるようにして配設されている。
【００２１】
前記建物ユニット１の下面には、この下面を覆うようにして床下シート１１が配設されており、該床下シート１１の長辺側の縁部は、それぞれ前記帯板１０,１０の下面に固定され、さらに、該床下シート１１の長辺側の縁は下梁４,４の下面まで延出されている。
また、前記床下シート１１の長辺側の縁部には、防蟻シート１２,１２がそれぞれ設けられている。該防蟻シート１２は、薬剤を含浸させるとともに該薬剤の蒸発を極力抑えるために樹脂を添加してなる帯状のシートであり、前記長辺側の下梁４に沿って配設され、その幅は下梁１２の下面より十分に広く形成されている。
【００２２】
また、この防蟻シート１２の一方の縁部は、下梁４の下面から外側面まで立ち上げられ、防蟻テープ１３によって下梁４の外側面に貼着されている。さらに、前記防蟻シート１２の他方の縁部は、前記帯板１０より内側位置において、前記床下シート１１に防蟻テープ１３によって貼着されている。
なお、前記防蟻テープ１３は、防蟻シート１３と同様の防蟻効果を有するものであり、その裏面には、接着剤が塗布されている。
【００２３】
前記床下シート１１の短辺側の縁部には、防蟻シート１２,１２が設けられており、該防蟻シート１２の一方の縁部は、短辺側の下梁４の下面から外側面まで立ち上げられ、防蟻テープ１３によって該下梁４の外側面に貼着され、防蟻シート１２の他方の縁部は、前記床下シート１１に防蟻テープ１３によって貼着されている。
【００２４】
このように、本例の防蟻シート付き建物ユニットは、その建物ユニット１の下梁４…の下面に沿って帯状の防蟻シート１２…を設けたので、該建物ユニット１を基礎上に設置すると、該基礎には防蟻シート１２…を介して下梁１２…が当接することになり、防蟻効果を得ることができる。つまり、白蟻等の害虫は基礎から上がってくるが、この基礎と当接する下梁４…の下面に防蟻シート１２…を設けたので、白蟻等の害虫を該防蟻シート１２…によって排除することができる。そして、前記防蟻シート１２…は帯状をなしているので、面積的には従来の防蟻シートに比して格段に小さくなり、よって、その分、防蟻シート付き建物ユニットを安価にすることができる。
【００２５】
また、前記床下シート１１によって、建物ユニット１の下面が覆われるので、建物ユニット１を基礎に設置してユニット式建物を構築した際における地面からの湿気の流入を防止することができる。
さらに、前記帯板１０,１０に床下シート１１の縁部を貼着固定したので、該床下シート１１を、建物ユニット１の下面に容易に張設することができる。そして、この張設された床下シート１１の縁部に、前記防蟻シート１２…を貼付したので、該防蟻シート１２を下梁４の下面を覆うようにかつ該下面より広い範囲で水平に配置することができる。
【００２６】
加えて、前記防蟻シート１２の一方の縁部を、前記下梁４の下面から外側面まで立ち上げて該外側面に貼着固定したので、該防蟻シート１２を下梁４の下面を覆うようにして容易に張設することができ、また、防蟻効果をより確実なものとすることができる。
【００２７】
(第２実施形態例)
図４は本発明の防蟻シート付き建物ユニットの第２実施形態例を示すものである。この図に示す防蟻シート付き建物ユニットが、前記図１〜図３に示した防蟻シート付き建物ユニットと異なる点は、前記帯板１０の取付位置と、防蟻シート１２の縁部の処理であるので、この点について説明し、他の共通部分には同一符号を付してその説明を省略する。
【００２８】
前記帯板１０,１０は、下梁４,４の内側に、該下梁４,４と所定間隔をもって配設されている。そして、前記帯板１０,１０間に床下シート１１が配設され、この床下シート１１の長辺側の両縁部が帯板１０,１０の下面に固定されている。
また、前記帯板１０と下梁４の下面との間には、防蟻シート１２が配設されており、該防蟻シート１２の一方の縁部は、前記帯板１０の下面に固定されるとともに、防蟻テープ１３によって床下シート１１の縁部に貼着されている。さらに、前記防蟻シート１２の他方の縁部は下梁４の下面に当接され、該他方の縁部に防蟻テープ１３を貼着するとともに、該防蟻テープ１３を下梁４の外側面まで立ち上げて該外側面に貼着することで下梁４の下面に固定されている。
【００２９】
なお、前記床下シート１１の短辺側の縁部には、第１実施形態例の場合と同様に、防蟻シート１２,１２が設けられており、該防蟻シート１２の一方の縁部は、短辺側の下梁４の下面から外側面まで立ち上げられ、防蟻テープ１３によって該下梁４の外側面に貼着され、防蟻シート１２の他方の縁部は、前記床下シート１１に防蟻テープ１３によって貼着されている。
【００３０】
本例の防蟻シート付き建物ユニットによれば、前記第１実施形態例と同様の効果が得られるのは勿論のこと、帯板１０を下梁４の内側に、該下梁４と所定間隔をもって配設し、該帯板１０の下面と前記下梁４の下面とに、防蟻シート１２の両縁部をそれぞれ固定したので、該防蟻シート１２を下梁４の下面を覆うようにかつ下梁４の下面より内側まで広い範囲で配置することができ、より、防蟻効果を高めることができる。
【００３１】
【発明の効果】
以上説明したように、本発明の請求項１の防蟻シート付き建物ユニットによれば、建物ユニットの床部を構成する下梁の下面に沿って帯状の防蟻シートを設けたので、該防蟻シートを、面積的に従来の防蟻シートに比して格段に小さくすることができ、よって、その分、防蟻シート付き建物ユニットを安価なものとすることができる。
【００３２】
また、前記建物ユニットの下面に、この下面全体を覆うようにして床下シートを設けたので、建物ユニットを基礎に設置してユニット式建物を構築した際における地面からの湿気の流入を防止することができる。また、前記床下シートの縁部に、前記防蟻シートを貼付したので、該防蟻シートを容易かつ確実に、下梁の下面を覆うようにしかも該下面より広い範囲で水平に配置することができる。
【００３３】
さらに、前記下梁の内側に、該下梁に沿って長尺な帯板を該下梁に隣接して設け、この帯板に前記床下シートの縁部を固定したので、該床下シートを、建物ユニットの下面に容易に張設することができる。
【００３４】
請求項２の防蟻シート付き建物ユニットによれば、建物ユニットの床部を構成する下梁の下面に沿って帯状の防蟻シートを設けたので、該防蟻シートを、面積的に従来の防蟻シートに比して格段に小さくすることができ、よって、その分、防蟻シート付き建物ユニットを安価なものとすることができる。
また、前記帯板を下梁の内側に、該下梁と所定間隔をもって配設し、該帯板の下面と前記下梁の下面とに、防蟻シートの両縁部をそれぞれ固定したので、該防蟻シートを下梁の下面を覆うようにかつ下梁の下面より内側まで広い範囲で配置することができ、より、防蟻効果を高めることができる。また、前記帯板に床下シートの縁部を固定したので、該床下シートを、建物ユニットの下面に容易に張設することができる。
【００３５】
請求項３の防蟻シート付き建物ユニットによれば、請求項１又は２と同様の効果を得ることができるのは勿論のこと、前記防蟻シートの一方の縁部を、前記下梁の下面から外側面まで立ち上げて固定したので、該防蟻シートを下梁の下面を覆うようにして容易に張設することができるとともに、防蟻効果がより確実なものとすることができる。
【図面の簡単な説明】
【図１】本発明の防蟻シート付き建物ユニットの一例を示すもので、該防蟻シート付き建物ユニットの概略構成を示す斜視図である。
【図２】同、該防蟻シート付き建物ユニットの底面図である。
【図３】図２におけるＡ−Ａ線視断面図である。
【図４】本発明の防蟻シート付き建物ユニットの他の例を示すもので、その断面図である。
【図５】従来の防蟻シート付き建物ユニットの一例を示すもので、防蟻シートを短辺側の下梁とともに示す要部断面図である。
【図６】同、防蟻シートを長辺側の下梁とともに示す要部断面図である。
【符号の説明】
１  建物ユニット
２  柱
３  上梁
４  下梁
１０  帯板
１１  床下シート
１２  防蟻シート
１３  防蟻テープ
【図１】
0003892573.tif 000002
【図２】
0003892573.tif 000003
【図３】
0003892573.tif 000004
【図４】
0003892573.tif 000005
【図５】
0003892573.tif 000006
【図６】
0003892573.tif 000007